(57)【要約】【課題】ＲＧＢ信号とＹＰｂＰｒ信号の入力信号の種類を自動的に切り替えることにより、操作性を向上させ、効果的なプレゼンテーションを実現することの出来る、マルチシグナルマトリクススイッチャの提供。【解決手段】信号種類判別手段９Ａ、９Ｂ、９Ｃは、映像出力ラインを構成する入力チャンネルに入力された画像信号が、ＲＧＢ信号とＹＰｂＰｒ信号とのいずれの種類であるかを判別し、信号変換指令手段９Ａ、９Ｂ、９Ｃは、判別された画像信号の種類に基づいて当該画像信号を変換するように、信号変換手段１０Ａ、１０Ｂ、１０Ｃに対して指令する。当該画像信号は、信号変換手段１０Ａ、１０Ｂ、１０Ｃにより、自動的に、映像出力ラインを構成する出力チャンネルに接続された映像出力装置に適合するように変換されるので、従来のように画像信号の種類をいちいち手動で切り替える必要がなくなり、操作性を向上することが出来る。【選択図】  図２
2004254232.tif 000002
【特許請求の範囲】
【請求項１】
画像信号が入力される複数の入力チャンネルを有し、画像信号が出力される複数の出力チャンネルを有し、それら入力チャンネルと出力チャンネルとの間に、特定の前記出力チャンネルと特定の前記入力チャンネルとを接続することにより構成される映像出力ラインを複数組、構築する、スイッチング手段を設け、前記スイッチング手段により構築された映像出力ラインを構成する入力チャンネルに入力された画像信号を、前記映像出力ラインを構成する出力チャンネルに接続された映像出力装置に適合するように変換する、信号変換手段を設けたマルチシグナルマトリクススイッチャにおいて、
前記映像出力ラインを構成する入力チャンネルに入力された画像信号が、ＲＧＢ信号とＹＰｂＰｒ信号とのいずれの種類であるかを判別する、信号種類判別手段を設け、
前記信号種類判別手段により判別された画像信号の種類に基づいて当該画像信号を変換するように、前記信号変換手段に対して指令する、信号変換指令手段を設けたことを特徴とするマルチシグナルマトリクススイッチャ。
【請求項２】
画像信号を入力することの出来る、画像信号入力端子を、前記各入力チャンネル毎に設け、
前記画像信号入力端子は、前記ＲＧＢ信号を構成するいずれか１つの色信号と、前記ＹＰｂＰｒ信号を構成する輝度信号との入力端子として共用することの出来る、信号共用入力端子を有し、
前記信号種類判別手段は、前記映像出力ラインを構成する入力チャンネルの信号共用入力端子に入力された画像信号に、前記ＹＰｂＰｒ信号の同期信号が重畳されているか否かを検知する、同期信号検知手段を有し、
前記同期信号検知手段により前記信号共用入力端子に入力された画像信号に前記ＹＰｂＰｒ信号の同期信号が重畳されていることを検知した場合に、前記信号種類判別手段は、当該画像信号をＹＰｂＰｒ信号と判別することを特徴とする、請求項１記載のマルチシグナルマトリクススイッチャ。
【発明の詳細な説明】
【０００１】
【発明の属する技術分野】
本発明は、複数の入力チャンネルから入力される、ＲＧＢ信号、ＹＰｂＰｒ信号などの複数種類の画像信号を、複数の出力チャンネルに接続する映像出力装置に表示させることの出来る、マルチシグナルマトリクススイッチャに関する。
【０００２】
【従来の技術】
従来、この種のマルチシグナルマトリクススイッチャは、特定の映像入力ソースと特定の映像出力装置を接続して映像出力ラインを構築し、映像入力ソースからの各種の画像信号をスキャンコンバートする機能を有している。これにより、例えば、ＮＴＳＣ（Ｎａｔｉｏｎａｌ  Ｔｅｌｅｖｉｓｉｏｎ  ＳｙｓｔｅｍＣｏｍｍｉｔｔｅｅ）信号、ＲＧＢ信号、更に、ＨＤＴＶ（Ｈｉｇｈ  Ｄｅｆｉｎｉｔｉｏｎ  ＴｅｌｅＶｉｓｉｏｎ）などに用いられるＹＰｂＰｒ信号などの画像信号を、スキャンコンバートし、複数の映像入力を同時に複数の映像出力装置に出力して、しかも簡単な操作で映像出力ラインを切り替えながら、多様な映像表現を可能とすることが出来、効果的なプレゼンテーションを実現することが出来る。
【０００３】
【発明が解決しようとする課題】
しかし、上述したマルチシグナルマトリクススイッチャは、図３に示すように、一般に、ＲＧＢ信号の入力端子１７のうち、水平・垂直同期信号用のＨＤ端子１７ｄ及びＶＤ端子１７ｅを除く、Ｒ端子１７ａ、Ｇ端子１７ｂ、Ｂ端子１７ｃが、ＹＰｂＰｒ信号の、Ｙ信号（輝度信号）、Ｐｂ信号（青の色差信号）、Ｐｒ信号（赤の色差信号）の入力端子として共用されているため、入力信号がＲＧＢ信号又はＹＰｂＰｒ信号の場合、入力信号の種類の切り替えをいちいち手動で行なう必要があり、その切り替え操作が極めて煩雑であった。また、例えばプレゼンテーションの本番中で、その切り替え操作を間違えてしまうと、映像が適正に表示されなくなり、効果的なプレゼンテーションを実現できない不都合があった。
【０００４】
本発明は、上記した事情を鑑み、ＲＧＢ信号とＹＰｂＰｒ信号の入力信号の種類を自動的に切り替えることにより、操作性を向上させ、効果的なプレゼンテーションを行なうことの出来る、マルチシグナルマトリクススイッチャを提供することを目的とするものである。
【０００５】
【課題を解決するための手段】
請求項１の発明は、画像信号が入力される複数の入力チャンネル（Ａ、Ｂ、Ｃ、Ｄ、Ｅ、Ｆ、Ｇ、Ｈ）を有し、画像信号が出力される複数の出力チャンネル（Ｉ、Ｊ、Ｋ）を有し、それら入力チャンネルと出力チャンネルとの間に、特定の前記出力チャンネル（例えば、出力チャンネルＩ（出力１））と特定の前記入力チャンネル（例えば、入力チャンネルＣ（入力３））とを接続することにより構成される映像出力ラインを複数組、構築する、スイッチング手段（７）を設け、前記スイッチング手段（７）により構築された映像出力ラインを構成する入力チャンネルに入力された画像信号を、前記映像出力ラインを構成する出力チャンネルに接続された映像出力装置に適合するように変換する、信号変換手段（１０Ａ、１０Ｂ、１０Ｃ）を設けたマルチシグナルマトリクススイッチャ（１）において、
前記映像出力ラインを構成する入力チャンネルに入力された画像信号が、ＲＧＢ信号とＹＰｂＰｒ信号とのいずれの種類であるかを判別する、信号種類判別手段（９Ａ、９Ｂ、９Ｃ）を設け、
前記信号種類判別手段（９Ａ、９Ｂ、９Ｃ）により判別された画像信号の種類（ＲＧＢ信号又はＹＰｂＰｒ信号）に基づいて当該画像信号を変換するように、前記信号変換手段（１０Ａ、１０Ｂ、１０Ｃ）に対して指令する、信号変換指令手段（９Ａ、９Ｂ、９Ｃ）を設けたことを特徴として構成される。
【０００６】
請求項２の発明は、画像信号を入力することの出来る、画像信号入力端子（１７）を、前記各入力チャンネル毎に設け、
前記画像信号入力端子（１７）は、前記ＲＧＢ信号を構成するいずれか１つの色信号（例えばＲ信号）と、前記ＹＰｂＰｒ信号を構成する輝度信号（Ｙ信号）との入力端子として共用することの出来る、信号共用入力端子（１７ａ）を有し、
前記信号種類判別手段（９Ａ、９Ｂ、９Ｃ）は、前記映像出力ラインを構成する入力チャンネルの信号共用入力端子（１７ａ）に入力された画像信号（例えばＲ信号又はＹ信号）に、前記ＹＰｂＰｒ信号の同期信号が重畳されているか否かを検知する、同期信号検知手段（９Ａ、９Ｂ、９Ｃ）を有し、
前記同期信号検知手段（９Ａ、９Ｂ、９Ｃ）により前記信号共用入力端子（１７ａ）に入力された画像信号に前記ＹＰｂＰｒ信号の同期信号が重畳されていることを検知した場合に、前記信号種類判別手段（９Ａ、９Ｂ、９Ｃ）は、当該画像信号をＹＰｂＰｒ信号と判別することを特徴として構成される。
【０００７】
【発明の効果】
請求項１の発明によれば、信号種類判別手段（９Ａ、９Ｂ、９Ｃ）は、映像出力ラインを構成する入力チャンネルに入力された画像信号が、ＲＧＢ信号とＹＰｂＰｒ信号とのいずれの種類であるかを判別し、信号変換指令手段（９Ａ、９Ｂ、９Ｃ）は、信号種類判別手段（９Ａ、９Ｂ、９Ｃ）により判別された画像信号の種類（ＲＧＢ信号又はＹＰｂＰｒ信号）に基づいて当該画像信号を変換するように、信号変換手段（１０Ａ、１０Ｂ、１０Ｃ）に対して指令する。当該画像信号は、信号変換手段（１０Ａ、１０Ｂ、１０Ｃ）により、自動的に、映像出力ラインを構成する出力チャンネルに接続された映像出力装置に適合するように変換されるので、従来のように、画像信号の種類をいちいち手動で切り替える必要がなくなり、マルチシグナルマトリクススイッチャ（１）の操作性を向上することが出来る。これにより、例えばプレゼンテーションの本番中で、画像信号の種類の切り替え操作を間違えることがなくなり、効果的なプレゼンテーションを実現することが出来る。
【０００８】
また、信号種類判別手段（９Ａ、９Ｂ、９Ｃ）は、映像出力ラインを構成する入力チャンネル（例えば、Ａ、Ｃ、Ｈ）に入力された画像信号の種類を判別するので、全ての入力チャンネル（Ａ、Ｂ、Ｃ、Ｄ、Ｅ、Ｆ、Ｇ、Ｈ）に入力された画像信号について、その種類を判別する必要がなく、画像信号の種類を効率良く判別することが出来る。これにより、例えばマルチシグナルマトリクススイッチャ（１）の処理能力が比較的低い場合であっても、適正な映像を円滑に表示することが出来る。
【０００９】
請求項２の発明によれば、同期信号検知手段（９Ａ、９Ｂ、９Ｃ）は、映像出力ラインを構成する入力チャンネルの信号共用入力端子（１７ａ）に入力された画像信号（例えばＲ信号又はＹ信号）に、ＹＰｂＰｒ信号の同期信号が重畳されているか否かを検知し、信号種類判別手段（９Ａ、９Ｂ、９Ｃ）は、同期信号検知手段（９Ａ、９Ｂ、９Ｃ）が、信号共用入力端子（１７ａ）に入力された画像信号にＹＰｂＰｒ信号の同期信号が重畳されていることを検知した場合に、当該画像信号をＹＰｂＰｒ信号と判別するので、信号種類判別手段（９Ａ、９Ｂ、９Ｃ）は、ＲＧＢ信号とＹＰｂＰｒ信号の画像信号の種類を確実に判別することが可能となり、適正な映像を確実に表示することが出来る。
【００１０】
なお、括弧内の番号などは、本発明の理解を助けるために、図面における対応する要素を便宜的に示すものである。従って、本記述は図面上の記載に限定拘束されるものではなく、また、この符号の記載により本発明を解釈すべきでない。
【００１１】
【発明の実施の形態】
図１は、本発明が適用される、マルチシグナルマトリクススイッチャの一例を示す正面図、図２は、マルチシグナルマトリクススイッチャの回路構成の一例を示すブロック図、図３は、入力端子の一例を示す外観図である。
【００１２】
図１は、マルチシグナルマトリクススイッチャ１の一例を示す正面図を示している。マルチシグナルマトリクススイッチャ１は、図１に示すように、筐体２を有しており、筐体２の正面には、操作パネル２ａが設けられている。操作パネル２ａには、各８個づつの押しボタンスイッチから構成される、第１出力チャンネルボタン群３、第２出力チャンネルボタン群５、第３出力チャンネルボタン群６が設けられている。各出力チャンネルボタン群３、５、６は、マルチシグナルマトリクススイッチャ１の、Ｉ、Ｊ、Ｋの３個の出力チャンネル（図２で、出力１、出力２、出力３と表示）にそれぞれ対応している。なお、出力チャンネルの数は、任意であり、２チャンネル以上、何チャンネル設けられていても良い。その場合、設けられた出力チャンネルの数だけ、出力チャンネルボタン群が設けられる。
【００１３】
図２は、マルチシグナルマトリクススイッチャ１の回路構成の一例を示している。入力チャンネルは、図２に示すように、Ａ、Ｂ、Ｃ、Ｄ、Ｅ、Ｆ、Ｇ、Ｈの８チャンネル設けられており、図中、入力１、入力２……入力８と表示されている。この８つの入力チャンネルが、図１に示す各出力チャンネルボタン群３、５、６の８個に対応しており、８個の入力チャンネルと３個の出力チャンネルにより、合計２４個の押しボタンスイッチから成るマトリクスが構成されている。なお、入力チャンネル数も、出力チャンネル数と同様に任意であり、２チャンネル以上、何チャンネル設けてもよい。
【００１４】
いま、各出力チャンネルボタン群３、５、６を構成する押しボタンスイッチを入力チャンネルの数に対応させて、Ａ（入力１）、Ｂ（入力２）、Ｃ（入力３）、Ｄ（入力４）、Ｅ（入力５）、Ｆ（入力６）、Ｇ（入力７）、Ｈ（入力８）の８つのアルファベット記号で区分し、次に、出力チャンネルを表示する数字を付けてそれらの押しボタンスイッチを区別すると、図１に示すように表示される。例えば、Ａ１は、入力チャンネルがＡ（入力１）で出力チャンネルがＩ（出力１）に対応する押しボタンスイッチであり、Ｂ３は、入力チャンネルがＢ（入力２）で出力チャンネルがＫ（出力３）に対応する押しボタンスイッチであり、Ｆ２は、入力チャンネルがＦ（入力６）で出力チャンネルがＪ（出力２）に対応する押しボタンスイッチである。
【００１５】
即ち、各出力チャンネルボタン群３、５、６を構成する押しボタンスイッチは、特定の入力チャンネルと特定の出力チャンネルを１対１に対応させる唯一無二のスイッチ手段であり、各出力チャンネルボタン群３、５、６を構成する、ある押しボタンスイッチを押下することは、特定の入力チャンネルと特定の出力チャンネルとが当該押しボタンスイッチにより唯一選択されて、特定の映像出力ラインが構築されることを意味する。
【００１６】
また、操作パネル２ａには、図１に示すように、他の押しボタンスイッチが多数も設けられており、図中下方に、クロスポイント設定ボタン１５が設けられている。更に、操作パネル２ａには、図中右方に映像調整パネル２ｂが設けられている。映像調整パネル２ｂには、画質、画像サイズ、出力設定、言語についての、出力映像パラメータが調整自在な、調整ボタン１６が設けられている。
【００１７】
図３は、入力端子１７の一例を示す外観図を示している。入力端子１７は、５個の端子を１組として、１個の入力チャンネルを構成している。従って、入力チャンネルと同数の８組からなる入力端子１７が、例えばマルチシグナルマトリクススイッチャ１の背面（図１の紙面裏側）などに設けられている。
【００１８】
また、入力端子１７は、ＲＧＢ信号用の入力端子として機能している。ＲＧＢ信号は、色信号である、Ｒ（赤）信号、Ｇ（緑）信号、Ｂ（青）信号と、水平同期信号、垂直同期信号からなり、入力端子１７は、Ｒ信号用のＲ端子１７ａ、Ｇ信号用のＧ端子１７ｂ、Ｂ信号用のＢ端子１７ｃ、水平同期信号用のＨＤ端子１７ｄ、及び垂直同期信号用のＶＤ端子１７ｅとして構成されている。
【００１９】
また、これら入力端子１７のうち、Ｒ端子１７ａ、Ｇ端子１７ｂ、Ｂ端子１７ｃは、ＨＤＴＶ（Ｈｉｇｈ  Ｄｅｆｉｎｉｔｉｏｎ  ＴｅｌｅＶｉｓｉｏｎ）やＤＶＤプレーヤなどに用いられる、ＹＰｂＰｒ信号の入力端子としても機能している。
【００２０】
ここで、ＹＰｂＰｒ信号とは、画像を、輝度信号と色差信号で表現する信号（コンポーネント信号）をいい、水平同期信号及び垂直同期信号を重畳する輝度信号である、Ｙ信号、青の色差信号である、Ｐｂ信号、及び赤の色差信号である、Ｐｒ信号からなる。即ち、入力端子１７のうち、Ｒ端子１７ａは、Ｙ信号用のＹ端子、Ｇ端子１７ｂは、Ｐｂ信号用のＰｂ端子、Ｂ端子１７ｃは、Ｐｒ信号用のＰｒ端子として機能している。以下の説明では、これらの端子を区別する必要がないときは、図３に示すように、それぞれ、Ｒ／Ｙ端子１７ａ、Ｇ／Ｐｂ端子１７ｂ、Ｂ／Ｐｒ端子１７ｃと表現する。
【００２１】
なお、本実施例において定義する、上記ＹＰｂＰｒ信号は、名称は異なるが、上述したコンポーネント信号と同様である、ＹＣｂＣｒ信号、ＹＵＶ信号、ＹＩＱ信号、ＹＣＣ信号なども含むものである。また、Ｙ信号とＲ信号で入力端子を共用する組み合わせを示したが、特にこれに限る必要はなく、例えば、Ｙ信号とＧ信号又はＹ信号とＢ信号で、入力端子を共用させることも可能である。
【００２２】
また、マルチシグナルマトリクススイッチャ１には、図２に示すように、入力信号セレクタ７が設けられている。入力信号セレクタ７には、前述の８個の入力チャンネルＡ、Ｂ、Ｃ、Ｄ、Ｅ、Ｆ、Ｇ、Ｈが設けられており、各入力チャンネルＡ、Ｂ、Ｃ、Ｄ、Ｅ、Ｆ、Ｇ、Ｈには、入力端子１７に対応する５個の、不図示の入力部が設けられている。また、入力信号セレクタ７には、前述の出力チャンネルＩ、Ｊ、Ｋに対応する３個の、出力チャンネルＩ’、Ｊ’、Ｋ’が設けられており、各出力チャンネルＩ’、Ｊ’、Ｋ’には、上記入力部と同様に、入力端子１７に対応する５個の、不図示の出力部が設けられている。
【００２３】
これら入力部と出力部は、映像出力ラインの構築に応じて接続されるようになっている。即ち、入力信号セレクタ７には、入力チャンネルＡ、Ｂ、Ｃ、Ｄ、Ｅ、Ｆ、Ｇ、Ｈと、出力チャンネルＩ’、Ｊ’、Ｋ’との間で、映像出力ラインの一部を構築自在な、前述の２４個の出力チャンネルボタン群３、５、６が設けられている。そして、入力信号セレクタ７には、各出力チャンネルＩ’、Ｊ’、Ｋ’を介して、それぞれ、信号判別部９Ａ、９Ｂ、９Ｃが接続している。
【００２４】
各信号判別部９Ａ、９Ｂ、９Ｃには、入力端子１７に対応する５個の、不図示の入力部が設けられており、各信号判別部９Ａ、９Ｂ、９Ｃの入力部は、それぞれ、入力信号セレクタ７の各出力チャンネルＩ’、Ｊ’、Ｋ’に設けられた出力部が接続している。従って、各信号判別部９Ａ、９Ｂ、９Ｃの入力部は、入力信号セレクタ７を介して、それぞれ、図３に示す、Ｒ／Ｙ端子１７ａ、Ｇ／Ｐｂ端子１７ｂ、Ｂ／Ｐｒ端子１７ｃ、ＨＤ端子１７ｄ、及びＶＤ端子１７ｅに接続されることとなり、各信号判別部９Ａ、９Ｂ、９Ｃは、各端子１７ａ、１７ｂ、１７ｃ、１７ｄ、１７ｅ別に入力信号の判別が可能である。
【００２５】
また、各信号判別部９Ａ、９Ｂ、９Ｃには、信号変換部１０Ａ、１０Ｂ、１０Ｃが接続しており、更に、各信号変換部１０Ａ、１０Ｂ、１０Ｃには、出力チャンネルＩ（出力１）、Ｊ（出力２）、Ｋ（出力３）が接続している。従って、信号判別部９Ａ、９Ｂ、９Ｃは、入力信号セレクタ７と信号変換部１０Ａ、１０Ｂ、１０Ｃとの間に、出力チャンネル毎に設けられている。なお、出力チャンネルは、上述したように任意であることから、出力チャンネル数に応じて、これと同数の信号判別部９Ａ、９Ｂ、９Ｃ、及び信号変換部１０Ａ、１０Ｂ、１０Ｃが設けられることとなる。
【００２６】
また、入力信号セレクタ７には、クロスポイントセレクトデータ設定部１２が接続しており、クロスポイントセレクトデータ設定部１２には、クロスポイントセレクトデータメモリ１３が接続している。
【００２７】
クロスポイントセレクトデータメモリ１３には、出力チャンネルボタン群３、５、６を構成する各押しボタンスイッチに対応する形で、各押しボタンスイッチの押下状況、即ち、映像出力ラインの構築状態を格納するための格納領域１３ａが２４個設けられている。図２では、各格納領域１３ａを区別するために、８つの入力チャンネルを区別するための記号として、ＩＮ１、ＩＮ２……ＩＮ８を、出力チャンネルを区別するための記号として、ＯＵＴ１、ＯＵＴ２、ＯＵＴ３を組み合わせて、マトリクスとして表示している。例えば、ＩＮ６．ＯＵＴ２は、出力チャンネルボタン群５の押しボタンスイッチＦ２に対応している。
【００２８】
マルチシグナルマトリクススイッチャ１は、以上のような構成を有するので、マルチシグナルマトリクススイッチャ１を用いて、複数の映像入力ソースからの映像を複数の映像出力装置に表示させるプレゼンテーションを行うには、当該プレゼンテーションに先立って、所定の段取り作業を行う。
【００２９】
まず、入力すべき複数の図示しない映像入力ソースとして、画像信号が、ＲＧＢ信号であるＰＣ（パーソナルコンピュータ）やＹＰｂＰｒ信号であるＨＤＴＶなどを、マルチシグナルマトリクススイッチャ１の各入力チャンネルＡ（入力１）、Ｂ（入力２）、Ｃ（入力３）、Ｄ（入力４）、Ｅ（入力５）、Ｆ（入力６）、Ｇ（入力７）、Ｈ（入力８）に接続する。例えば、画像信号がＲＧＢ信号の場合、当該ＲＧＢ信号を出力する不図示のケーブルコネクタを、それぞれ、Ｒ端子１７ａ、Ｇ端子１７ｂ、Ｂ端子１７ｃ、ＨＤ端子１７ｄ、及びＶＤ端子１７ｅに差し込み、接続する。また、画像信号がＹＰｂＰｒ信号の場合、当該ＹＰｂＰｒ信号を出力する不図示のケーブルコネクタを、それぞれ、Ｙ端子１７ａ、Ｐｂ端子１７ｂ、Ｐｒ端子１７ｃに差し込み、接続する。
【００３０】
次に、各出力チャンネルＩ（出力１）、Ｊ（出力２）、Ｋ（出力２）には、不図示のプロジェクタやディスプレイなどの映像出力装置をそれぞれ接続する。この状態で、オペレータは、最初に各映像出力装置で使用する映像入力ソースを、出力チャンネルボタン群３、５、６の各押しボタンスイッチを押下することにより選択し、各映像出力装置を特定の映像入力ソースに関連付けて、映像出力ラインを構築する。
【００３１】
例えば、出力チャンネルＩ（出力１）に接続された映像出力装置で表示すべき映像入力ソースを選択するには、第１出力チャンネルボタン群３を構成する８個の押しボタンスイッチＡ１、Ｂ１、Ｃ１、Ｄ１、Ｅ１、Ｆ１、Ｇ１、Ｈ１のうち、表示すべき映像入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈのうち、押下された押しボタンスイッチに対応する入力チャンネルと、出力チャンネルＩ（出力１）を、信号判別部９Ａ及び信号変換部１０Ａを介して接続し、押下された押しボタンスイッチに対応した入力チャンネルと出力チャンネルＩ（出力１）からなる、第１の映像出力ラインを構築する。
【００３２】
次に、出力チャンネルＪ（出力２）に接続された映像出力装置で表示すべき映像入力ソースを選択するには、第２出力チャンネルボタン群５を構成する８個の押しボタンスイッチＡ２、Ｂ２、Ｃ２、Ｄ２、Ｅ２、Ｆ２、Ｇ２、Ｈ２のうち、表示すべき映像入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈのうち、押下された押しボタンスイッチに対応する入力チャンネルと、出力チャンネルＪ（出力２）を、信号判別部９Ｂ及び信号変換部１０Ｂを介して接続し、押下された押しボタンスイッチに対応した入力チャンネルと出力チャンネルＪ（出力２）からなる、第２の映像出力ラインを構築する。
【００３３】
次に、出力チャンネルＫ（出力３）に接続された映像出力装置で表示すべき映像入力ソースを選択するには、第３出力チャンネルボタン群６を構成する８個の押しボタンスイッチＡ３、Ｂ３、Ｃ３、Ｄ３、Ｅ３、Ｆ３、Ｇ３、Ｈ３のうち、表示すべき映像入力ソースが接続された入力チャンネルに対応する押しボタンスイッチを選択的に押下する。すると、入力信号セレクタ７は、入力チャンネルＡ、Ｂ、Ｃ、Ｄ、Ｅ、Ｆ、Ｇ、Ｈのうち、押下された押しボタンスイッチに対応する入力チャンネルと、出力チャンネルＫ（出力３）を、信号判別部９Ｃ及び信号変換部１０Ｃを介して接続し、押下された押しボタンスイッチに対応した入力チャンネルと出力チャンネルＫ（出力３）からなる、第３の映像出力ラインを構築する。
【００３４】
こうすることにより、３つ映像出力装置に対して、それぞれの映像入力ソースが選択された入力チャンネルが関連付けられ、特定の入力チャンネルと特定の出力チャンネルが関連付けられた形の、３つの映像出力ラインが構築される。
【００３５】
また、オペレータが、操作パネル２ａ上のクロスポイント設定ボタン１５を押下すると、クロスポイントセレクトデータ設定部１２が起動される。その状態で、オペレータが出力チャンネルボタン群３、５、６の２４個の押しボタンスイッチのうち、適宜な押しボタンスイッチを押下することにより、クロスポイントセレクトデータ設定部１２は、当該押下された押しボタンスイッチに対応するクロスポイントセレクトデータメモリ１３の格納領域１３ａに、クロスポイント設定ボタン１５が押下された時点の、３つの映像出力ラインの構築状態を格納する。
【００３６】
例えば、出力チャンネルＩ（出力１）に入力チャンネルＣ（入力３）が、出力チャンネルＪ（出力２）に入力チャンネルＨ（入力８）が、出力チャンネルＫ（出力３）に入力チャンネルＡ（入力１）が接続され、出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）からなる３つの映像出力ラインを構築する。この状態で、クロスポイント設定ボタン１５が押下され、例えば押しボタンスイッチＤ２が押下された場合には、押しボタンスイッチＤ２に対応した、クロスポイントセレクトデータメモリ１３内の、「ＩＮ４．ＯＵＴ２」なる格納領域１３ａに、上記した３つの映像出力ライン、即ち、「出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）」が格納される。
【００３７】
そして、各出力チャンネルについての映像出力ラインが構築されたところで、オペレータは、映像調整パネル２ｂ上の調整ボタン１６を適宜押下して、画質、画像サイズ、出力設定、言語のうち、所定の出力映像パラメータの調整を行ない、該調整された出力映像パラメータを、各映像出力ライン毎に不図示の所定メモリに格納して、接続された映像入力ソース及び映像出力装置に対応した形で設定する。
【００３８】
こうして、全ての設定が終了したところで、マルチシグナルマトリクススイッチャ１を使用した、プレゼンテーションの本番にはいるが、オペレータはまず、最初に使用する映像出力ラインの組み合わせを再現するために、自己が記憶させた出力チャンネルボタン群３、５、６中の特定の押しボタンスイッチを押下する。すると、クロスポイントセレクトデータ設定部１２は、押下された押しボタンスイッチに対応するクロスポイントセレクトデータメモリ１３の格納領域１３ａから、オペレータにより予め設定格納された映像出力ラインの組み合わせを呼び出し、入力信号セレクタ７の接続状態を、当該映像出力ラインの組み合わせに基づいて設定するように制御する。これにより入力信号セレクタ７は、所定の組み合わせからなる、３つの映像出力ラインを設定する。
【００３９】
ここでは、映像出力ラインとして、出力チャンネルＩ（出力１）／入力チャンネルＣ（入力３）、出力チャンネルＪ（出力２）／入力チャンネルＨ（入力８）、出力チャンネルＫ（出力３）／入力チャンネルＡ（入力１）が設定されたとする。また、これらの映像出力ラインを構成する、各入力チャンネルに接続された映像入力ソースの画像信号は、入力チャンネルＣ（入力３）がＲＧＢ信号、入力チャンネルＨ（入力８）及び入力チャンネルＡ（入力１）がＹＰｂＰｒ信号とする。更に、これらの映像出力ラインを構成する、各出力チャンネルに接続された映像出力装置の画像信号は、いずれもＲＧＢ信号とする。
【００４０】
まず、出力チャンネルＩ（出力１）／入力チャンネルＣ（入力３）の映像出力ラインについて説明すると、入力チャンネルＣ（入力３）に接続された映像入力ソースの画像信号、つまりＲＧＢ信号が、図３に示す入力端子１７から入力される。即ち、Ｒ端子１７ａ、Ｇ端子１７ｂ、Ｂ端子１７ｃから、それぞれ、Ｒ信号、Ｇ信号、Ｂ信号が入力され、ＨＤ端子１７ｄ、ＶＤ端子１７ｅから、それぞれ、水平同期信号、垂直同期信号が入力される。これら入力信号は、入力信号セレクタ７に入力され、入力信号セレクタ７は、設定した映像出力ラインに従い、これら入力チャンネルＣ（入力３）からの入力信号を、出力チャンネルＩ’を介して、出力チャンネルＩ（出力１）に対応する信号判別部９Ａに出力する。
【００４１】
ところで、信号判別部９Ａ、９Ｂ、９Ｃは、入力信号セレクタ７から受けた、図３に示すＲ／Ｙ端子１７ａの入力信号に、ＹＰｂＰｒ信号の水平同期信号及び垂直同期信号（以下、単に「同期信号」という）が重畳されているか否かを、常に検知している。Ｒ／Ｙ端子１７ａから入力される画像信号は、既に述べたように、ＲＧＢ信号であれば、同期信号が重畳されていない色信号（Ｒ信号）であり、ＹＰｂＰｒ信号であれば、同期信号が重畳されている輝度信号（Ｙ信号）である。即ち、信号判別部９Ａ、９Ｂ、９Ｃは、同期信号が重畳されていると検知した場合、入力信号の種類をＹＰｂＰｒ信号と判別し、同期信号が重畳されていないと検知した場合、入力信号の種類をＲＧＢ信号と判別する。
【００４２】
従って、信号判別部９Ａは、入力信号セレクタ７から受けた、入力チャンネルＣ（入力３）からの入力信号のうち、Ｒ端子１７ａの入力信号について、同期信号が重畳されているか否かを検知し、当該入力信号がＲ信号であることから、同期信号が重畳されていないと検知して、入力チャンネルＣ（入力３）からの入力信号の種類を、ＲＧＢ信号と判別する。
【００４３】
このように、信号判別部９Ａ、９Ｂ、９Ｃを、入力信号セレクタ７と信号変換部１０Ａ、１０Ｂ、１０Ｃとの間に設けて、信号判別部９Ａ、９Ｂ、９Ｃが、映像出力ラインを構成する入力チャンネルに入力された画像信号の種類を判別することにより、全ての入力チャンネルに入力された画像信号について、その種類を判別する必要がなくなり、入力信号の種類を効率良く判別することが出来る。
【００４４】
なお、検知する同期信号は、必ずしも水平同期信号及び垂直同期信号の両方である必要はなく、いずれか一方でもよい。また、判別手法としては、上述したような、同期信号が重畳されているか否かによる判別手法に限られず、例えば、Ｒ／Ｙ端子１７ａ、Ｇ／Ｐｂ端子１７ｂ、Ｂ／Ｐｒ端子１７ｃに信号が入力され、かつＨＤ端子１７ｄ、ＶＤ端子１７ｅに信号が入力されないことを、論理回路などで検知することにより、入力信号の種類を判別することも可能である。
【００４５】
こうして、信号判別部９Ａは、上記判別結果により、ＲＧＢ信号である入力信号の種類に基づいて、入力信号セレクタ７からの入力信号を出力チャンネルＩ（出力１）に接続された映像出力装置に適合する形に変換するように、信号変換部１０Ａに対して指令すると共に、当該入力信号を、信号変換部１０Ａに出力する。
【００４６】
信号判別部９Ａからの入力信号の種類は、出力チャンネルＩ（出力１）に接続された映像出力装置の画像信号（ＲＧＢ信号）と同じ、ＲＧＢ信号なので、上記指令を受けた信号変換部１０Ａは、コンポーネント信号とＲＧＢ信号との間で相互に色空間を変換する、色空間変換を行なうことなく、当該入力信号を、水平同期周波数及び垂直同期周波数が該映像出力装置の画像信号と一致するように変換、即ち、スキャンコンバートする。
【００４７】
更に、信号変換部１０Ａは、不図示の所定メモリから、出力チャンネルＩ（出力１）／入力チャンネルＣ（入力３）の映像出力ライン毎に格納された、既にオペレータにより調整済みの出力映像パラメータを読み出し、該出力映像パラメータに基づいて、上記スキャンコンバートした入力信号について、画質、画像サイズ、出力設定、言語に関連する、出力映像の調整を行なう。そして出力映像の調整を行なった入力信号を、映像出力装置に出力し、映像出力装置は、当該画像信号に基づいて、適正な出力画像を表示する。
【００４８】
次いで、出力チャンネルＪ（出力２）／入力チャンネルＨ（入力８）の映像出力ラインについて説明すると、入力チャンネルＨ（入力８）に接続された映像入力ソースの画像信号、つまりＹＰｂＰｒ信号が、図３に示す入力端子１７から入力される。即ち、Ｙ端子１７ａ、Ｐｂ端子１７ｂ、Ｐｒ端子１７ｃから、それぞれ、Ｙ信号、Ｐｂ信号、Ｐｒ信号が入力され、一方、ＨＤ端子１７ｄ、ＶＤ端子１７ｅからは、何ら画像信号は入力されない。これら入力信号は、入力信号セレクタ７に入力され、入力信号セレクタ７は、設定した映像出力ラインに従い、これら入力チャンネルＨ（入力８）からの入力信号を、出力チャンネルＪ’から、出力チャンネルＪ（出力２）に対応する信号判別部９Ｂに出力する。
【００４９】
信号判別部９Ｂは、入力信号セレクタ７から受けた、入力チャンネルＨ（入力８）からの入力信号のうち、Ｙ端子１７ａの入力信号、つまりＹ信号について、同期信号が重畳されているか否かを検知する。Ｙ信号には、上述したように輝度信号に同期信号が重畳されているので、信号判別部９Ｂは、上記信号判別部９Ａと異なり、同期信号が重畳されていると検知して、入力チャンネルＨ（入力８）からの入力信号の種類を、ＹＰｂＰｒ信号と判別する。
【００５０】
そして、信号判別部９Ｂは、上記判別結果により、ＹＰｂＰｒ信号である入力信号の種類に基づいて、入力信号セレクタ７からの入力信号を出力チャンネルＪ（出力２）に接続された映像出力装置に適合する形で変換するように、信号変換部１０Ｂに対して指令すると共に、当該入力信号を、信号変換部１０Ｂに出力する。
【００５１】
信号判別部９Ｂからの入力信号の種類は、出力チャンネルＪ（出力２）に接続された映像出力装置の画像信号（ＲＧＢ信号）と異なる、ＹＰｂＰｒ信号なので、上記指令を受けた信号変換部１０Ｂは、信号変換部１０Ａと異なり、まず、色空間変換を行なう。即ち、信号変換部１０Ｂは、Ｙ端子１７ａの入力信号を、輝度信号と、水平同期信号及び垂直同期信号に分離し、該分離された輝度信号、Ｐｂ端子１７ｂの入力信号（Ｐｂ信号）、及びＰｒ端子１７ｃの入力信号（Ｐｒ信号）を、所定式に基づいて、Ｒ信号、Ｇ信号、Ｂ信号に変換する。
【００５２】
こうして、信号判別部９Ｂからの入力信号をＲＧＢ信号に変換すると、信号変換部１０Ｂは、信号変換部１０Ａと同様に、当該入力信号を、上記分離された水平同期周波数及び垂直同期周波数が、出力チャンネルＪ（出力２）に接続された映像出力装置の画像信号と一致するように変換、即ち、スキャンコンバートする。
【００５３】
更に、信号変換部１０Ｂは、信号変換部１０Ａと同様に、不図示の所定メモリから、出力チャンネルＪ（出力２）／入力チャンネルＨ（入力８）の映像出力ライン毎に格納された、既にオペレータにより調整済みの出力映像パラメータを読み出し、該出力映像パラメータに基づいて、上記スキャンコンバートした入力信号について、画質、画像サイズ、出力設定、言語に関する、出力映像の調整を行なう。そして出力映像の調整を行なった入力信号を、映像出力装置に出力し、映像出力装置は、該画像信号に基づいて、適正な出力画像を表示する。
【００５４】
次いで、出力チャンネルＫ（出力３）／入力チャンネルＡ（入力１）の映像出力ラインについて説明すると、入力チャンネルＡ（入力１）に接続された映像入力ソースの画像信号は、ＹＰｂＰｒ信号なので、信号判別部９Ｃは、信号判別部９Ｂと同様に、入力信号の種類をＹＰｂＰｒ信号と判別し、ＹＰｂＰｒ信号である入力信号の種類に基づいて、入力信号セレクタ７からの入力信号を出力チャンネルＫ（出力３）に接続された映像出力装置に適合する形に変換するように、信号変換部１０Ｃに対して指令すると共に、当該入力信号を、信号変換部１０Ｃに出力する。該指令を受けた信号変換部１０Ｃは、信号変換部１０Ｂと同様に、信号判別部９Ｃからの入力信号を、色空間変換によりＲＧＢ信号に変換し、更にＲＧＢ信号に変換された入力信号をスキャンコンバートする。
【００５５】
次いで、信号変換部１０Ｃは、信号変換部１０Ａ、１０Ｂと同様に、出力映像パラメータに基づいて、上記スキャンコンバートした入力信号について、所定の出力映像の調整を行なう。そして出力映像の調整を行なった入力信号を、映像出力装置に出力し、映像出力装置は、該画像信号に基づいて、適正な出力画像を表示する。
【００５６】
このように、本発明に係るマルチシグナルマトリクススイッチャ１では、ＲＧＢ信号とＹＰｂＰｒ信号との間で、入力信号の種類の切り替えが自動的に行なわれるので、従来のマルチシグナルマトリクススイッチャのように、その切り替え操作をいちいち手動で行なう必要がなくなり、マルチシグナルマトリクススイッチャの操作性を向上することが出来る。
【００５７】
こうして、この状態で各映像出力ラインを用いて、対応する入力チャンネルに接続された入力ソースから画像信号を出力し、所定の映像を各映像出力装置に表示して行くが、映像出力ラインの組み合わせを変更する場合には、オペレータは、変更すべき映像出力ラインの組み合わせをクロスポイントセレクトデータメモリ１３に格納する際に、押下した出力チャンネルボタン群３、５、６の対応する押しボタンスイッチを押下するだけで、当該押しボタンスイッチに対応するクロスポイントセレクトデータメモリ１３内の格納領域１３ａに格納された映像出力ラインの組み合わせが読み出され、入力信号セレクタ７により直ちに設定される。
【００５８】
信号判別部９Ａ、９Ｂ、９Ｃは、既に述べたように、入力信号セレクタ７から受けた、Ｙ／Ｒ端子１７ａからの入力信号に同期信号が重畳されているか否かを、常に検知しているので、変更設定された各映像出力ラインの入力チャンネルからの入力信号を受けて、直ちに、当該入力信号の種類を判別する。
【００５９】
例えば、出力チャンネルＩ（出力１）／入力チャンネルＣ（入力３）の映像出力ラインが、出力チャンネルＩ（出力１）／入力チャンネルＨ（入力８）に変更設定されたとする。即ち、出力チャンネルＩ（出力１）に接続される映像入力ソースの画像信号が、ＲＧＢ信号からＹＰｂＰｒ信号に切り替わったとする。
【００６０】
信号判別部９Ａは、上述と同様に、Ｙ端子１７ａからの入力信号に同期信号が重畳されているか否かを検知し、入力信号の種類をＹＰｂＰｒ信号と判別して、信号判別部９Ｂ、９Ｃと同様に、ＹＰｂＰｒ信号である入力信号の種類に基づいて、出力チャンネルＩ（出力１）に接続された映像出力装置に適合する形に変換するように、信号変換部１０Ａに対し指令する。該指令を受けた信号変換部１０Ａは、映像出力ラインの変更設定前に行なっていなかった、入力信号の色空間変換を行ない、更にＲＧＢ信号に変換された入力信号をスキャンコンバートして、出力チャンネルＩ（出力１）に接続された映像出力装置は、直ちに、適正な出力画像を表示する。即ち、映像出力ラインが変更設定されても、入力信号が、直ちに映像出力装置に適合する形に変換されるので、常に適正な出力画像が表示される。
【００６１】
このように、本発明に係るマルチシグナルマトリクススイッチャ１では、従来のマルチシグナルマトリクススイッチャのように、例えば、プレゼンテーションの本番中で、その切り替え操作を間違えることがなくなり、適正な映像を確実に表示することが出来る。これにより更に効果的なプレゼンテーションを実現することが出来る。
【図面の簡単な説明】
【図１】図１は、本発明が適用される、マルチシグナルマトリクススイッチャの一例を示す外観図である。
【図２】図２は、マルチシグナルマトリクススイッチャの回路構成の一例を示すブロック図である。
【図３】図３は、入力端子の一例を示す外観図である。
【符号の説明】
１……マルチシグナルマトリクススイッチャ
７……スイッチング手段（入力信号セレクタ）
９Ａ、９Ｂ、９Ｃ……信号種類判別手段、信号変換指令手段、同期信号検知手段（信号判別部）
１０Ａ、１０Ｂ、１０Ｃ……信号変換手段（信号変換部）
１７……画像信号入力端子（入力端子）
１７ａ……信号共用入力端子（Ｒ／Ｙ端子）
Ａ、Ｂ、Ｃ、Ｄ、Ｅ、Ｆ、Ｇ、Ｈ……入力チャンネル
Ｉ、Ｊ、Ｋ……出力チャンネル
【図１】
2004254232.tif 000003
【図２】
2004254232.tif 000004
【図３】
2004254232.tif 000005